(57)【要約】【課題】支台歯が形成される過程において、作業者が歯の研削量を把握することを可能にする支台歯形成ゲージを提供すること。【解決手段】歯列を形成する複数の臼歯３１のそれぞれの咬合面に跨って載置される支台歯形成ゲージ１であって、複数の臼歯３１は、第１臼歯３１Ａを含み、第１臼歯３１Ａの咬合面３１Ａ１に密着可能な第１密着面１１Ａと、第１密着面１１Ａの頬側端部から立ち上がる第１頬側側壁１２Ａと、第１密着面１１Ａの舌側端部から立ち上がる第１舌側側壁１３Ａと、を備え、第１密着面１１Ａと頬側側壁との境界には第１頬側稜線１５Ａが形成されており、第１密着面１１Ａと舌側側壁との境界には第１舌側稜線１６Ａが形成されており、第１頬側稜線１５Ａ及び第１舌側稜線１６Ａは、第１臼歯３１Ａの咬合面３１Ａ１に位置するように載置可能な支台歯形成ゲージ。【選択図】図１
2016202291.tif 000002
【特許請求の範囲】
【請求項１】
歯列を形成する複数の臼歯のそれぞれの咬合面に跨って載置される支台歯形成ゲージであって、
前記複数の臼歯は、第１臼歯を含み、
前記第１臼歯の咬合面に密着可能な第１密着面と、
前記第１密着面の頬側端部から立ち上がる第１頬側側壁と、
前記第１密着面の舌側端部から立ち上がる第１舌側側壁と、
を備え、
前記第１密着面と前記第１頬側側壁との境界には第１頬側稜線が形成されており、
前記第１密着面と前記第１舌側側壁との境界には第１舌側稜線が形成されており、
前記第１頬側稜線及び前記第１舌側稜線は、前記第１臼歯の咬合面に位置するように載置可能な支台歯形成ゲージ。
【請求項２】
前記第１頬側側壁及び前記第１舌側側壁は、前記第１臼歯の歯軸に略平行である
請求項１に記載の支台歯形成ゲージ。
【請求項３】
前記複数の臼歯は、前記第１臼歯とは異なる第２臼歯を含み、
前記第２臼歯の咬合面に密着可能な第２密着面と、
前記第２密着面の頬側端部から立ち上がる第２頬側側壁と、
前記第２密着面の舌側端部から立ち上がる第２舌側側壁と、
を更に備え、
前記第２密着面と前記第２頬側側壁との境界には第２頬側稜線が形成されており、
前記第２密着面と前記第２舌側側壁との境界には第２舌側稜線が形成されており、
前記第２頬側稜線及び前記第２舌側稜線は、前記第２臼歯の咬合面に位置するように載置可能であり、
前記第２頬側側壁及び前記第２舌側側壁は、前記第２臼歯の歯軸に略平行であり、
前記第２頬側側壁及び前記第２舌側側壁は、前記第１頬側側壁及び前記第１舌側側壁と略平行でない
請求項２に記載の支台歯形成ゲージ。
【請求項４】
前記第１頬側稜線及び前記第１舌側稜線は、前記第１臼歯の咬合面における咬頭頂を通るように載置可能であり、前記第２舌側稜線及び前記第２頬側稜線は、前記第２臼歯の咬合面における咬頭頂を通るように載置可能である
請求項３に記載の支台歯形成ゲージ。
【請求項５】
前記第１頬側側壁及び前記第１舌側側壁のいずれか一方又は両方には、前記第１臼歯の歯軸に略平行な第１臼歯歯軸平行線が設けられている請求項１〜４のいずれかに記載の支台歯形成ゲージ。
【発明の詳細な説明】
【技術分野】
【０００１】
本発明は、支台歯を形成する際に使用する支台歯形成ゲージに関する。
【背景技術】
【０００２】
従来、歯科治療において、クラウンやブリッジ等の補綴物を支えるために、支台歯が形成されることがある。支台歯は、歯科医師等の作業者が、歯（例えば、臼歯）を研削することによって形成される（例えば、特許文献１参照。）。
【先行技術文献】
【特許文献】
【０００３】
【特許文献１】特開２００９−１１８８９３号公報
【発明の概要】
【発明が解決しようとする課題】
【０００４】
支台歯の最適な形状は、補綴物の形状等に応じて決まる。作業者が、歯を研削することによって、最適な形状の支台歯を形成するためには、支台歯を形成する過程において、歯の元の形状や歯の研削量が把握可能になっていることが望ましい。
【０００５】
しかし、作業者が一旦歯を研削し出すと、歯の元の形状や歯の研削量を把握することは困難である。
【０００６】
本発明は、支台歯が形成される過程において、作業者が歯の元の形状や歯の研削量を把握することを可能にする支台歯形成ゲージを提供することを目的とする。
【課題を解決するための手段】
【０００７】
本発明は、歯列を形成する複数の臼歯のそれぞれの咬合面に跨って載置される支台歯形成ゲージであって、前記複数の臼歯は、第１臼歯を含み、前記第１臼歯の咬合面に密着可能な第１密着面と、前記第１密着面の頬側端部から立ち上がる第１頬側側壁と、前記第１密着面の舌側端部から立ち上がる第１舌側側壁と、を備え、前記第１密着面と前記第１頬側側壁との境界には第１頬側稜線が形成されており、前記第１密着面と前記第１舌側側壁との境界には第１舌側稜線が形成されており、前記第１頬側稜線及び前記第１舌側稜線は、前記第１臼歯の咬合面に位置するように載置可能な支台歯形成ゲージに関する。
【０００８】
また、前記第１頬側側壁及び前記第１舌側側壁は、前記第１臼歯の歯軸に略平行であることが好ましい。
【０００９】
また、前記複数の臼歯は、前記第１臼歯とは異なる第２臼歯を含み、前記第２臼歯の咬合面に密着可能な第２密着面と、前記第２密着面の頬側端部から立ち上がる第２頬側側壁と、前記第２密着面の舌側端部から立ち上がる第２舌側側壁と、を更に備え、前記第２密着面と前記第２頬側側壁との境界には第２頬側稜線が形成されており、前記第２密着面と前記第２舌側側壁との境界には第２舌側稜線が形成されており、前記第２頬側稜線及び前記第２舌側稜線は、前記第２臼歯の咬合面に位置するように載置可能であり、前記第２頬側側壁及び前記第２舌側側壁は、前記第２臼歯の歯軸に略平行であり、前記第２頬側側壁及び前記第２舌側側壁は、前記第１頬側側壁及び前記第１舌側側壁と平行でないことが好ましい。
【００１０】
また、前記第１頬側稜線及び前記第１舌側稜線は、前記第１臼歯の咬合面における咬頭頂を通るように載置可能であり、前記第２舌側稜線及び前記第２頬側稜線は、前記第２臼歯の咬合面における咬頭頂を通るように載置可能であることが好ましい。
【００１１】
また、前記第１頬側側壁及び前記第１舌側側壁のいずれか一方又は両方には、前記第１臼歯の歯軸に略平行な第１臼歯歯軸平行線が設けられていることが好ましい。
【発明の効果】
【００１２】
本発明によれば、支台歯が形成される過程において、作業者が歯の元の形状や歯の研削量を把握することを可能にする支台歯形成ゲージを提供することができる。
【図面の簡単な説明】
【００１３】
【図１】（Ａ）〜（Ｂ）は、本発明の一実施形態の支台歯形成ゲージが載置された歯科模型（研削前）を示す図であり、（Ａ）は、一実施形態の支台歯形成ゲージが載置された歯科模型（研削前）を頬側から舌側方向に見た図、（Ｂ）は、一実施形態の支台歯形成ゲージが載置された歯科模型（研削前）を舌側から頬側方向に見た図である。
【図２】（Ａ）〜（Ｂ）は、本発明の一実施形態の支台歯形成ゲージが載置された歯科模型（研削前）を示す図であり、（Ａ）は、一実施形態の支台歯形成ゲージが載置された歯科模型（研削前）を上方向（咬合面）から下方向に見た図、（Ｂ）は、一実施形態の支台歯形成ゲージが載置された歯科模型（研削前）を近心方向から遠心方向に見た図である。
【図３】本発明の一実施形態の支台歯形成ゲージを密着面側から見た図である。
【図４】（Ａ）〜（Ｂ）は、一実施形態の支台歯形成ゲージが載置された歯科模型の断面図であり、（Ａ）は、図２（Ａ）のＡ−Ａ線で切断した断面図であり、（Ｂ）は、図２（Ａ）のＢ−Ｂ線で切断した断面図である。
【図５】（Ａ）〜（Ｂ）は、本発明の一実施形態の支台歯形成ゲージが載置された歯科模型（研削後）を示す図であり、（Ａ）は、一実施形態の支台歯形成ゲージが載置された歯科模型（研削後）を頬側から舌側方向に見た図、（Ｂ）は、一実施形態の支台歯形成ゲージが載置された歯科模型（研削後）を舌側から頬側方向に見た図である。
【図６】（Ａ）〜（Ｂ）は、本発明の一実施形態の支台歯形成ゲージが載置された歯科模型（研削後）を示す図であり、（Ａ）は、一実施形態の支台歯形成ゲージが載置された歯科模型（研削後）を上方向（咬合面）から下方向に見た図、（Ｂ）は、一実施形態の支台歯形成ゲージが載置された歯科模型（研削後）を近心方向から遠心方向に見た図である。
【図７】（Ａ）〜（Ｄ）は、本発明の一実施形態の支台歯形成ゲージが取り除かれた歯科模型（研削後）を示す図であり、（Ａ）は、一実施形態の支台歯形成ゲージが取り除かれた歯科模型（研削後）を頬側から舌側方向に見た図、（Ｂ）は、一実施形態の支台歯形成ゲージが取り除かれた歯科模型（研削後）を舌側から頬側方向に見た図、（Ｃ）は、一実施形態の支台歯形成ゲージが取り除かれた歯科模型（研削後）を上方向（咬合面）から上側から見た図、（Ｄ）は、一実施形態の支台歯形成ゲージが取り除かれた歯科模型（研削後）を近心方向から遠心方向に見た図である。
【発明を実施するための形態】
【００１４】
以下、本発明の第１実施形態について、図面を参照しながら説明する。図１及び図２は、本発明の一実施形態の支台歯形成ゲージが載置された歯科模型（研削前）を示す図であり、図１（Ａ）は、一実施形態の支台歯形成ゲージが載置された歯科模型（研削前）を頬側から舌側方向に見た図、図１（Ｂ）は、一実施形態の支台歯形成ゲージが載置された歯科模型（研削前）を舌側から頬側方向に見た図である。図２（Ａ）は、一実施形態の支台歯形成ゲージが載置された歯科模型（研削前）を上方向（咬合面）から下方向に見た図、図２（Ｂ）は、一実施形態の支台歯形成ゲージが載置された歯科模型（研削前）を近心方向から遠心方向に見た図である。図３は、本発明の一実施形態の支台歯形成ゲージを密着面側から見た図である。図４は、一実施形態の支台歯形成ゲージが載置された歯科模型の断面図であり、図４（Ａ）は、図２（Ａ）のＡ−Ａ線で切断した断面図であり、図４（Ｂ）は、図２（Ａ）のＢ−Ｂ線で切断した断面図である。図５及び図６は、本発明の一実施形態の支台歯形成ゲージが載置された歯科模型（研削後）を示す図であり、図５（Ａ）は、一実施形態の支台歯形成ゲージが載置された歯科模型（研削後）を頬側から舌側方向に見た図、図５（Ｂ）は、一実施形態の支台歯形成ゲージが載置された歯科模型（研削後）を舌側から頬側方向に見た図である。図６（Ａ）は、一実施形態の支台歯形成ゲージが載置された歯科模型（研削後）を上方向（咬合面）から下方向に見た図、図６（Ｂ）は、一実施形態の支台歯形成ゲージが載置された歯科模型（研削後）を近心方向から遠心方向に見た図である。
【００１５】
図１〜図３に示すように、支台歯形成ゲージ１は、密着部１０と、固定部２０と、を備える。支台歯形成ゲージ１（密着部１０及び固定部２０）は、可撓性部材で形成されている。可撓性部材としては、例えば、ゴム、シリコーン、軟質ウレタン樹脂、軟質エポキシ樹脂、チオコールラバー、不飽和ポリエステル樹脂、エラストマー、ナイロン、フッ素樹脂（PTFE）等が挙げられる。
【００１６】
図１及び図２に示すように、歯科模型３０は、歯列を形成する複数の臼歯３１と、歯肉部３２と、を備える。歯科模型３０は、人間の下顎部を模擬したものである。支台歯形成ゲージ１は、複数の臼歯３１のそれぞれの咬合面（後述）に跨って載置されている。
【００１７】
本明細書の説明において、歯肉部３２から臼歯３１に向かう方向を上方向Ｄ１とし、上方向Ｄ１と反対の方向を下方向Ｄ２とし、上方向Ｄ１及び下方向Ｄ２に略直交し、歯列の内側（人間の下顎部であれば、舌がある側。舌側。）に向かう方向を舌側方向Ｄ３とし、舌側方向Ｄ３と反対の方向であって、歯列の外側（人間の下顎部であれば、頬がある側。頬側。）に向かう方向を頬側方向Ｄ４とし、歯列に沿った方向であって切歯（前歯）に向かう方向を近心方向Ｄ５とし、歯列に沿った方向であって臼歯（奥歯）に向かう方向を遠心方向Ｄ６とする。
【００１８】
密着部１０は、密着面１１と、頬側側壁１２と、舌側側壁１３と、上面１４と、で構成される。固定部２０は、近心側固定部２０Ａと、遠心側固定部２０Ｂと、とを備える。密着部１０は、複数の臼歯３１の上に配置されている。近心側固定部２０Ａは、密着部１０の近心方向Ｄ５側の端部に設けられており、遠心側固定部２０Ｂは、密着部１０の遠心方向Ｄ６側の端部に設けられている。
【００１９】
図３に示すように、密着面１１は、第１密着面１１Ａと、第２密着面１１Ｂと、第３密着面１１Ｃと、第４密着面１１Ｄと、を備える。
図１に示すように、頬側側壁１２は、第１頬側側壁１２Ａと、第２頬側側壁１２Ｂと、第３頬側側壁１２Ｃと、第４頬側側壁１２Ｄと、を備える。舌側側壁１３は、第１舌側側壁１３Ａと、第２舌側側壁１３Ｂと、第３舌側側壁１３Ｃと、第４舌側側壁１３Ｄと、を備える。
【００２０】
図１及び図２に示すように、歯列を形成する複数の臼歯３１は、第１臼歯３１Ａと、第２臼歯３１Ｂと、第３臼歯３１Ｃと、第４臼歯３１Ｄと、を備える。なお、一般的な歯学分野における臼歯の名称との対応関係は、次の通りである。第１臼歯３１Ａは第１大臼歯に対応し、第２臼歯３１Ｂは第２小臼歯に対応し、第３臼歯３１Ｃは第２大臼歯に対応し、第４臼歯３１Ｄは第１小臼歯に対応する。
【００２１】
第１臼歯３１Ａは、第１咬合面３１Ａ１を有しており、第２臼歯３１Ｂは、第２咬合面３１Ｂ１を有しており、第３臼歯３１Ｃは、第３咬合面３１Ｃ１を有しており、第４臼歯３１Ｄは、第４咬合面３１Ｄ１を有している。また、第１咬合面３１Ａ１は、第１頬側咬頭頂３１Ａ２及び第１舌側咬頭頂３１Ａ３を有しており、第２咬合面３１Ｂ１は、第２頬側咬頭頂３１Ｂ２及び第２舌側咬頭頂３１Ｂ３を有しており、第３咬合面３１Ｃ１は、第３頬側咬頭頂３１Ｃ２及び第３舌側咬頭頂３１Ｃ３を有しており、第４咬合面３１Ｄ１は、第４頬側咬頭頂３１Ｄ２及び第４舌側咬頭頂３１Ｄ３を有している。
【００２２】
第１頬側咬頭頂３１Ａ２及び第１舌側咬頭頂３１Ａ３は、第１咬合面Ａ１に２つずつ存在する。第２頬側咬頭頂３１Ｂ２及び第２舌側咬頭頂３１Ｂ３は、第２咬合面３１Ｂ１に１つずつ存在する。第３頬側咬頭頂３１Ｃ２及び第３舌側咬頭頂３１Ｃ３は、第３咬合面３１Ｃ１に２つずつ存在する。第４頬側咬頭頂３１Ｄ２及び第４舌側咬頭頂３１Ｄ３は、第４咬合面３１Ｄ１に１つずつ存在する。
なお、臼歯の咬合面とは、上下の臼歯が咬み合う面のことを意味する。咬頭頂とは、咬合面において上方向Ｄ１に凸になっている部分の頂点（又は頂点付近）を意味する。
【００２３】
図３に示すように、第１密着面１１Ａは、第１臼歯３１Ａの第１咬合面３１Ａ１の形状に対応する形状を有しており、第１臼歯３１Ａの咬合面に密着可能になっている。第２密着面１１Ｂは、第２臼歯３１Ｂの第２咬合面３１Ｂ１の形状に対応する形状を有しているため、第２臼歯３１Ｂの咬合面に密着可能になっている。第３密着面１１Ｃは、第３臼歯３１Ｃの咬合面の形状に対応する形状を有しているため、第３臼歯３１Ｃの咬合面に密着可能になっている。第４密着面１１Ｄは、第４臼歯３１Ｄの咬合面の形状に対応する形状を有しているため、第４臼歯３１Ｄの咬合面に密着可能になっている。そのため、図１及び図２に示すように、第１密着面１１Ａは、第１咬合面３１Ａ１に密着しており、第２密着面１１Ｂは、第２咬合面３１Ｂ１に密着しており、第３密着面１１Ｃは、第３咬合面３１Ｃ１に密着しており、第４密着面１１Ｄは、第４咬合面３１Ｄ１に密着している。
【００２４】
図１及び図２に示すように、第１頬側側壁１２Ａは、第１密着面１１Ａの頬側方向Ｄ４の端部（頬側端部）から、上方向Ｄ１に立ち上がる側壁である。第２頬側側壁１２Ｂは、第２密着面１１Ｂの頬側方向Ｄ４の端部（頬側端部）から、上方向Ｄ１に立ち上がる側壁である。第３頬側側壁１２Ｃは、第３密着面１１Ｃの頬側方向Ｄ４の端部（頬側端部）から、上方向Ｄ１に立ち上がる側壁である。第４頬側側壁１２Ｄは、第４密着面１１Ｄの頬側方向Ｄ４の端部（頬側端部）から、上方向Ｄ１に立ち上がる側壁である。
【００２５】
第１密着面１１Ａと第１頬側側壁１２Ａとの境界には、第１頬側稜線１５Ａが形成されている。第２密着面１１Ｂと第２頬側側壁１２Ｂとの境界には、第２頬側稜線１５Ｂが形成されている。第３密着面１１Ｃと第３頬側側壁１２Ｃとの境界には、第３頬側稜線１５Ｃが形成されている。第４密着面１１Ｄと第４頬側側壁１２Ｄとの境界には、第４頬側稜線１５Ｄが形成されている。
【００２６】
第１舌側側壁１３Ａは、第１密着面１１Ａの舌側方向Ｄ３の端部（舌側端部）から、上方向Ｄ１に立ち上がる側壁である。第２頬側側壁１２Ｂは、第２密着面１１Ｂの舌側方向Ｄ３の端部（舌側端部）から、上方向Ｄ１に立ち上がる側壁である。第３頬側側壁１２Ｃは、第３密着面１１Ｃの舌側方向Ｄ３の端部（舌側端部）から、上方向Ｄ１に立ち上がる側壁である。第４頬側側壁１２Ｄは、第４密着面１１Ｄの舌側方向Ｄ３の端部（舌側端部）から、上方向Ｄ１に立ち上がる側壁である。
【００２７】
第１密着面１１Ａと第１舌側側壁１３Ａとの境界には、第１舌側稜線１６Ａが形成されている。第２密着面１１Ｂと第２舌側側壁１３Ｂとの境界には、第２舌側稜線１６Ｂが形成されている。第３密着面１１Ｃと第３頬側側壁１２Ｃとの境界には、第３舌側稜線１６Ｃが形成されている。第４密着面１１Ｄと第４頬側側壁１２Ｄとの境界には、第４舌側稜線１６Ｄが形成されている。
【００２８】
第１頬側側壁１２Ａ、第２頬側側壁１２Ｂ、第３頬側側壁１２Ｃ及び第４頬側側壁１２Ｄを備える頬側側壁１２は、全体として密着面１１の頬側方向Ｄ４の端部（頬側端部）から、上方向Ｄ１に立ち上がる側壁となっている。第１舌側側壁１３Ａ、第２舌側側壁１３Ｂ、第３舌側側壁１３Ｃ及び第４舌側側壁１３Ｄを備える舌側側壁１３は、全体として密着面１１の舌側方向Ｄ３の端部（舌側端部）から、上方向Ｄ１に立ち上がる側壁となっている。
【００２９】
密着面１１と頬側側壁１２との境界には、全体として頬側稜線１５が形成されることになる。また、密着面１１と舌側側壁１３との境界には、全体として舌側稜線１６が形成されることになる。なお、頬側稜線１５は、第１頬側稜線１５Ａと、第２頬側稜線１５Ｂと、第３頬側稜線１５Ｃと、第４頬側稜線１５Ｄとを含む稜線である。また、舌側稜線１６は、第１舌側稜線１６Ａと、第２舌側稜線１６Ｂと、第３舌側稜線１６Ｃと、第４舌側稜線１６Ｄとを含む稜線である。
【００３０】
図１、図２及び図４に示すように、第１頬側稜線１５Ａは、第１頬側咬頭頂３１Ａ２を通っており、第２頬側稜線１５Ｂは、第２頬側咬頭頂３１Ｂ２を通っており、第３頬側稜線１５Ｃは、第３頬側咬頭頂３１Ｃ２を通っており、第４頬側稜線１５Ｄは、第４頬側咬頭頂３１Ｄ２を通っている。また、第１舌側稜線１６Ａは、第１舌側咬頭頂３１Ａ３を通っており、第２舌側稜線１６Ｂは、第２舌側咬頭頂３１Ｂ３を通っており、第３舌側稜線１６Ｃは、第３舌側咬頭頂３１Ｃ３を通っており、第４舌側稜線１６Ｄは、第４舌側咬頭頂３１Ｄ３を通っている。
【００３１】
そのため、頬側稜線１５は、第１頬側咬頭頂３１Ａ２、第２頬側咬頭頂３１Ｂ２、第３頬側咬頭頂３１Ｃ２及び第４頬側咬頭頂３１Ｄ２を貫いていることになる。また、舌側稜線１６は、第１舌側咬頭頂３１Ａ３、第２舌側咬頭頂３１Ｂ３、第３舌側咬頭頂３１Ｃ３及び第４舌側咬頭頂３１Ｄ３を貫いていることになる。
このように、支台歯形成ゲージ１は、歯列を形成する複数の臼歯３１のそれぞれの咬合面に跨って載置されるものである。
【００３２】
近心側固定部２０Ａは、第４臼歯３１Ｄの近心方向Ｄ５側で隣接する歯の一部を覆うように配置される部材である。遠心側固定部２０Ｂは、第３臼歯３１Ｃの遠心方向Ｄ６側で、第３臼歯３１Ｃに接するとともに、歯肉部３２にも接するように配置される部材である。近心側固定部２０Ａ及び遠心側固定部２０Ｂによって、密着部１０は、第１臼歯３１Ａ、第２臼歯３１Ｂ、第３臼歯３１Ｃ及び第４臼歯３１Ｄに、より安定して固定される。
【００３３】
図１（Ａ）及び図１（Ｂ）に示すように、頬側から舌側方向Ｄ３に見たときの第１臼歯３１Ａの歯軸Ｘは、上方向Ｄ１（又は下方向Ｄ２）に対して傾いている。より具体的には、第１臼歯３１Ａの歯軸Ｘは、上方向Ｄ１側が近心方向Ｄ５に倒れるように傾いている。第１頬側側壁１２Ａには、歯軸Ｘに略平行な第１臼歯頬側歯軸平行線１２Ａ１が設けられている。第１舌側側壁１３Ａには、歯軸Ｘに略平行な第１臼歯舌側歯軸平行線１３Ａ１が設けられている。
【００３４】
図１（Ａ）及び図１（Ｂ）に示すように、頬側から舌側方向Ｄ３に見たときの第２臼歯３１Ｂの歯軸Ｙは、上方向Ｄ１（又は下方向Ｄ２）に対して傾いている。より具体的には、第２臼歯３１Ｂの歯軸Ｙは、上方向Ｄ１側が近心方向Ｄ５に倒れるように傾いている。第２頬側側壁１２Ｂには、歯軸Ｙに略平行な第２臼歯頬側歯軸平行線１２Ｂ１が設けられている。第２舌側側壁１３Ｂには、歯軸Ｘに略平行な第２臼歯舌側歯軸平行線１３Ｂ１が設けられている。
【００３５】
第１臼歯頬側歯軸平行線１２Ａ１、第１臼歯舌側歯軸平行線１３Ａ１、第２臼歯頬側歯軸平行線１２Ｂ１及び第２臼歯舌側歯軸平行線１３Ｂ１は、それぞれの側壁に形成された窪みによる線である。
【００３６】
図４（Ａ）に示すように、第１臼歯３１Ａの歯軸Ｘは、上方向Ｄ１（又は下方向Ｄ２）に対して傾いている。より具体的には、第１臼歯３１Ａの歯軸Ｘは、上方向Ｄ１側が舌側方向Ｄ３に倒れるように傾いている。図２（Ｂ）及び図４（Ａ）に示すように、支台歯形成ゲージ１において、第１頬側側壁１２Ａ及び第１舌側側壁１３Ａは、第１臼歯３１Ａの歯軸Ｘに略平行になるように形成されている。
図４（Ｂ）に示すように、第２臼歯３１Ｂの歯軸Ｙは、上方向Ｄ１（又は下方向Ｄ２）に対して傾いている。より具体的には、第２臼歯３１Ｂの歯軸Ｙは、上方向Ｄ１側が舌側方向Ｄ３に倒れるように傾いている。図２（Ｂ）及び図４（Ｂ）に示すように、支台歯形成ゲージ１において、第２頬側側壁１２Ｂ及び第２舌側側壁１３Ｂは、第２臼歯３１Ｂの歯軸Ｙに略平行になるように形成されている。
【００３７】
なお、第１臼歯３１Ａの歯軸Ｘの傾きと、第２臼歯３１Ｂの歯軸Ｙの傾きとは、異なる。そのため、第１頬側側壁１２Ａ及び第１舌側側壁１３Ａと、第２頬側側壁１２Ｂ及び第２舌側側壁１３Ｂとは、平行ではない。また、第１臼歯頬側歯軸平行線１２Ａ１と第２臼歯頬側歯軸平行線１２Ｂ１とは、略平行でなく、第１臼歯舌側歯軸平行線１３Ａ１と第２臼歯舌側歯軸平行線１３Ｂ１とは、略平行でない。
【００３８】
なお、「略平行である」とは、正確に平行であること、及び±１度以内の誤差を持って平行であることを含む概念である。
【００３９】
次に、支台歯形成ゲージ１を使用した支台歯の形成方法について、図１、図２、図５及び図６を参照しながら説明する。支台歯の形成は、以下の（１）〜（８）の手順で行われる。ここでは、第１臼歯３１Ａ及び第２臼歯３１Ｂが研削される場合について、説明する。
【００４０】
（１）作業者は、図１及び図２に示すように、歯列を形成する複数の臼歯３１のそれぞれの咬合面に跨るように、支台歯形成ゲージ１を載置する。作業者は、第１密着面１１Ａが第１咬合面３１Ａ１に密着し、第２密着面１１Ｂが第２咬合面３１Ｂ１に密着し、第３密着面１１Ｃが第３咬合面３１Ｃ１に密着し、第４密着面１１Ｄが第４咬合面３１Ｄ１に密着していることを確認する。
【００４１】
（２）作業者は、複数の臼歯３１に支台歯形成ゲージ１を載置した状態で、第１臼歯３１Ａの頬側側面及び下側側面のうち、下方向Ｄ２側の部分を研削する。第１臼歯３１Ａの頬側側面のうち、下方向Ｄ２側の部分の研削方向は、第１頬側側壁１２Ａと平行にされる。第１臼歯３１Ａの頬側側面のうち、下方向Ｄ２側の部分の研削方向は、第１舌側側壁１３Ａに平行にされる。同様に、作業者は、複数の臼歯３１に支台歯形成ゲージ１を載置した状態で、第２臼歯３１Ｂの頬側側面及び下側側面のうち、下方向Ｄ２側の部分を研削する。第２臼歯３１Ｂの頬側側面のうち、下方向Ｄ２側の部分の研削方向は、第２頬側側壁１２Ｂと平行にされる。第２臼歯３１Ｂの頬側側面のうち、下方向Ｄ２側の部分の研削方向は、第２舌側側壁１３Ｂに平行にされる。
【００４２】
（３）作業者は、第１臼歯頬側歯軸平行線１２Ａ１及び第２臼歯頬側歯軸平行線１２Ｂ１の傾きを確認した上で、支台歯形成ゲージ１を複数の臼歯３１から取り外す。なお、作業者は、必要に応じて、第１臼歯舌側歯軸平行線１３Ａ１及び第２臼歯舌側歯軸平行線１３Ｂ１の傾きも確認しておいてもよい。その後、作業者は、第１臼歯３１Ａの近心側側面及び遠心側側面を研削する。第１臼歯３１Ａの近心側側面及び遠心側側面の研削方向は、確認された第１臼歯頬側歯軸平行線１２Ａ１と平行にされる。同様に、作業者は、第２臼歯３１Ｂの近心側側面及び遠心側側面を研削する。第２臼歯３１Ｂの近心側側面及び遠心側側面の研削方向は、確認された第２臼歯頬側歯軸平行線１２Ｂ１と平行にされる。
【００４３】
（４）作業者は、再び、歯列を形成する複数の臼歯３１のそれぞれの咬合面に跨るように、支台歯形成ゲージ１を載置する。作業者は、第１臼歯３１Ａの近心側側面及び遠心側側面の研削方向が第１臼歯頬側歯軸平行線１２Ａ１と平行になっているか否かを確認する。また、作業者は、第２臼歯３１Ｂの近心側側面及び遠心側側面の研削方向が第２臼歯頬側歯軸平行線１２Ｂ１と平行になっているか否かを確認する。なお、作業者は、必要に応じて、第１臼歯舌側歯軸平行線１３Ａ１及び第２臼歯舌側歯軸平行線１３Ｂ１の傾きも確認してよい。
【００４４】
（５）作業者は、必要に応じて、（３）と（４）の作業を繰り返すことによって、第１臼歯頬側歯軸平行線１２Ａ１や第１臼歯舌側歯軸平行線１３Ａ１に平行なるように（すなわち、歯軸Ｘに平行になるように）、第１臼歯３１Ａの近心側側面及び遠心側側面を研削することができる。同様に、作業者は、第２臼歯頬側歯軸平行線１２Ｂ１や第２臼歯舌側歯軸平行線１３Ｂ１に平行なるように（すなわち、歯軸Ｙに平行になるように）、第２臼歯３１Ｂの近心側側面及び遠心側側面を研削することができる。
【００４５】
（６）作業者は、第１臼歯３１Ａの近心側側面及び遠心側側面が適切に研削されたことを確認し、第２臼歯３１Ｂの近心側側面及び遠心側側面が適切に研削されたことを確認した後、支台歯形成ゲージ１を複数の臼歯３１から取り外す。そして、作業者は、第１臼歯３１Ａの第１咬合面３１Ａ１及び第２臼歯３１Ｂの第２咬合面３１Ｂ１を研削する。また、作業者は、第１臼歯３１Ａの側面のうち、（２）で研削しなかった部分を研削するとともに、第２臼歯３１Ｂの側面のうち、（２）で研削しなかった部分を研削する。
【００４６】
（７）作業者は、図５及び図６に示すように、再び、歯列を形成する複数の臼歯３１のそれぞれの咬合面に跨るように、支台歯形成ゲージ１を載置する。作業者は、図５（Ａ）及び図５（Ｂ）に示す状態を確認することによって、第１臼歯３１Ａ及び第２臼歯３１Ｂの歯の元の形状や研削量を視覚的に把握することが可能である。また、作業者は、図６（Ａ）及び図６（Ｂ）に示す状態を確認することによって、第１臼歯３１Ａの側面が、第１頬側側壁１２Ａ及び第１舌側側壁１３Ａの傾き（すなわち、歯軸Ｘの傾き）に沿って研削されているか確認することができ、第２臼歯３１Ｂの側面が、第２頬側側壁１２Ｂ及び第２舌側側壁１３Ｂの傾き（すなわち、歯軸Ｙの傾き）に沿って研削されているか、再度確認することができる。
【００４７】
（８）作業者は、必要に応じて、（６）と（７）の作業を繰り返すことによって、第１臼歯３１Ａ及び第２臼歯３１Ｂを研削していく。
【００４８】
作業者が（１）〜（８）の手順で第１臼歯３１Ａ及び第２臼歯３１Ｂを研削すると、図７に示すような２つの支台歯（第１臼歯３１Ａが研削された支台歯及び第２臼歯３１Ｂが研削された支台歯）が形成される。図７は、本発明の一実施形態の支台歯形成ゲージが取り除かれた歯科模型（研削後）を示す図であり、図７（Ａ）は、一実施形態の支台歯形成ゲージが取り除かれた歯科模型（研削後）を舌側方向に見た図、図７（Ｂ）は、一実施形態の支台歯形成ゲージが取り除かれた歯科模型（研削後）を頬側方向に見た図、図７（Ｃ）は、一実施形態の支台歯形成ゲージが取り除かれた歯科模型（研削後）を上側から見た図、図７（Ｄ）は、一実施形態の支台歯形成ゲージが取り除かれた歯科模型（研削後）を遠心方向に見た図である。図７（Ａ）及び図７（Ｂ）に示すように、適切な形状の支台歯が形成される。また、図７（Ｃ）及び図７（Ｄ）に示すように、２つの支台歯は、歯軸方向に略平行に研削されている。
【００４９】
このように、一実施形態の支台歯形成ゲージ１は、歯列を形成する複数の臼歯３１のそれぞれの咬合面３１Ａ１〜３１Ｄ１に跨って載置されるものであり、複数の臼歯３１は、第１臼歯３１Ａを含み、第１臼歯３１Ａの第１咬合面３１Ａ１に密着可能な第１密着面１１Ａと、第１密着面１１Ａの頬側端部から立ち上がる第１頬側側壁１２Ａと、第１密着面１１Ａの舌側端部から立ち上がる第１舌側側壁１３Ａと、を備えている。そして、第１密着面１１Ａと頬側側壁との境界には第１頬側稜線１５Ａが形成されており、第１密着面１１Ａと舌側側壁との境界には第１舌側稜線１６Ａが形成されており、第１頬側稜線１５Ａは、第１臼歯３１Ａの第１咬合面３１Ａ１における第１頬側咬頭頂３１Ａ２を通っており、第１舌側稜線１６Ａは、第１臼歯３１Ａの第１咬合面３１Ａ１における第１舌側咬頭頂３１Ａ３に位置している。そのため、支台歯形成ゲージ１は、作業者が第１臼歯３１Ａの元の形状や研削量を把握することを可能にする。
【００５０】
また、一実施形態の支台歯形成ゲージ１において、第１頬側側壁１２Ａ及び第１舌側側壁１３Ａは、第１臼歯３１Ａの歯軸Ｘに略平行である。そのため、支台歯形成ゲージ１は、作業者が第１臼歯３１Ａの研削方向が歯軸Ｘに平行であるか否かを把握することを可能にする。
【００５１】
また、一実施形態の支台歯形成ゲージ１において、複数の臼歯３１は、第１臼歯３１Ａとは異なる第２臼歯３１Ｂを含み、第２臼歯３１Ｂの第２咬合面３１Ｂ１に密着可能な第２密着面１１Ｂと、第２密着面１１Ｂの頬側端部から立ち上がる第２頬側側壁１２Ｂと、第２密着面１１Ｂの舌側端部から立ち上がる第２舌側側壁１３Ｂと、を更に備えている。そして、第２密着面１１Ｂと第２頬側側壁１２Ｂとの境界には第２頬側稜線１５Ｂが形成されており、第２密着面１１Ｂと第２舌側側壁１３Ｂとの境界には第２舌側稜線１６Ｂが形成されており、第２頬側稜線１５Ｂは、第２臼歯３１Ｂの第２咬合面３１Ｂ１における第２頬側咬頭頂３１Ｂ２を通っており、第２舌側稜線１６Ｂは、第２臼歯３１Ｂの第２咬合面３１Ｂ１における第２舌側咬頭頂３１Ｂ３に位置している。また、第２頬側側壁１２Ｂ及び第２舌側側壁１３Ｂは、第２臼歯３１Ｂの歯軸Ｙに略平行であり、第２頬側側壁１２Ｂ及び第２舌側側壁１３Ｂは、第１頬側側壁１２Ａ及び第１舌側側壁１３Ａと平行でない。そのため、支台歯形成ゲージ１は、作業者が、第１臼歯３１Ａ及び第２臼歯３１Ｂの元の形状や研削量を把握することを可能にする。また、支台歯形成ゲージ１は、作業者が第２臼歯３１Ｂの研削方向が歯軸Ｙに平行であるか否かを把握することを可能にする。
【００５２】
また、一実施形態の支台歯形成ゲージ１において、第１頬側稜線１５Ａ及び第１舌側稜線１６Ａは、第１咬合面３１Ａ１における咬頭頂を通るように載置可能であり、第２頬側稜線１５Ｂ及び第２舌側稜線１６Ｂは、第２咬合面３１Ｂ１における咬頭頂を通るように載置可能である。そのため、作業者は、研削過程において、常に第１臼歯３１Ａの咬頭頂、小窩及び列溝の位置を把握することが可能である。そのため、第１臼歯３１Ａが研削されることによって作られた支台歯における尖った部分の位置は、第１臼歯３１Ａにおける咬頭頂の位置に対応するようになる。また、支台歯における窪んだ部分の位置は、小窩や列溝の位置に対応するようになる。同様に、作業者は、研削過程において、常に第２臼歯３１Ｂの咬頭頂、小窩、列溝の位置を把握することも可能である。そのため、第２臼歯３１Ｂが研削されることによって作られた支台歯における尖った部分の位置は、第２臼歯３１Ｂにおける咬頭頂の位置に対応するようになる。また、支台歯における窪んだ部分の位置は、小窩や列溝の位置に対応するようになる。
【００５３】
また、一実施形態の支台歯形成ゲージ１において、第１頬側側壁１２Ａには第１臼歯３１Ａの歯軸Ｘに略平行な第１臼歯頬側歯軸平行線１２Ａ１が設けられており、第１舌側側壁１３Ａには第１臼歯３１Ａの歯軸Ｘに略平行な第１臼歯舌側歯軸平行線１３Ａ１が設けられている。また、第２頬側側壁１２Ｂには第２臼歯３１Ｂの歯軸Ｙに略平行な第２臼歯頬側歯軸平行線１２Ｂ１が設けられており、第２舌側側壁１３Ｂには第２臼歯３１Ｂの歯軸Ｙに略平行な第２臼歯舌側歯軸平行線１３Ｂ１が設けられている。そのため、支台歯形成ゲージ１は、作業者が、第１臼歯３１Ａ及び第２臼歯３１Ｂの近心側側面及び遠心側側面の研削方向がそれぞれ歯軸に平行であるか否かを把握することを可能にする。
【００５４】
以上、一実施形態について説明した。しかし、本発明は、一実施形態に限定されることなく、種々の形態で実施され得る。
【００５５】
一実施形態において、第１頬側稜線１５Ａは、第１臼歯３１Ａの第１咬合面３１Ａ１における第１頬側咬頭頂３１Ａ２に位置しており、第１舌側稜線１６Ａは、第１臼歯３１Ａの第１咬合面３１Ａ１における第１舌側咬頭頂３１Ａ３に位置しており、第２頬側稜線１５Ｂは、第２臼歯３１Ｂの第２咬合面３１Ｂ１における第２頬側咬頭頂３１Ｂ２に位置しており、第２舌側稜線１６Ｂは、第２臼歯３１Ｂの第２咬合面３１Ｂ１における第２舌側咬頭頂３１Ｂ３に位置していたが、これに限定されない。第１頬側稜線１５Ａ及び第１舌側稜線１６Ａは、第１臼歯３１Ａの第１咬合面３１Ａ１に位置していていればよい。また、第２頬側稜線１５Ｂ及び第２舌側稜線１６Ｂは、第２臼歯３１Ｂの第２咬合面３１Ｂ１に位置してればよい。すなわち、支台歯形成ゲージ１は、複数の臼歯のそれぞれの咬合面に跨って載置された状態において、舌側方向Ｄ３又は頬側方向Ｄ４に見たときに、研削量が把握可能なように、複数の臼歯における研削対象の臼歯（例えば、上述の一実施形態においては、第１臼歯３１Ａ及び第２臼歯３１Ｂ）の側面が露出されていればよい。
【００５６】
また、上記説明では、第１臼歯３１Ａ及び第２臼歯３１Ｂを研削する場合について説明されていたが、これ限定されない。支台歯形成ゲージ１は、第１臼歯３１Ａのみを研削する場合にも使用可能である。同様に、第２臼歯３１Ｂのみを研削する場合にも使用可能である。すなわち、第１臼歯３１Ａ、第２臼歯３１Ｂ、第３臼歯３１Ｃ及び第４臼歯３１Ｄのいずれか１つ以上を研削する場合にも使用可能である。
【００５７】
また、一実施形態において、第１臼歯３１Ａは第１大臼歯に対応し、第２臼歯３１Ｂは第２小臼歯に対応し、第３臼歯３１Ｃは第２大臼歯に対応し、第４臼歯３１Ｄは第１小臼歯に対応していたが、これに限定されない。第１臼歯３１Ａ、第２臼歯３１Ｂ、第３臼歯３１Ｃ及び第４臼歯３１Ｄは、それぞれ、どの臼歯に対応するものであってもよい。
【００５８】
また、一実施形態の支台歯形成ゲージ１の密着面１１は、４つの密着面（すなわち、第１密着面１１Ａは、第２密着面１１Ｂ、第３密着面１１Ｃ及び第４密着面１１Ｄ）を備えていたが、これに限定されない。密着面１１は、少なくとも１つ以上の密着面を備えていればよい。例えば、第１臼歯３１Ａのみが研削される場合、密着面１１は少なくとも第１密着面１１Ａを備えていればよい。
【００５９】
また、上記説明では、第１臼歯３１Ａの歯軸Ｘの傾きと第２臼歯３１Ｂの歯軸Ｙの傾きは異なっていたため、第２頬側側壁１２Ｂ及び第２舌側側壁１３Ｂは、第１頬側側壁１２Ａ及び第１舌側側壁１３Ａと平行でなかった。しかし、第１臼歯３１Ａの歯軸Ｘの傾きと第２臼歯３１Ｂの歯軸Ｙの傾きが同じ場合、第２頬側側壁１２Ｂ及び第２舌側側壁１３Ｂは、第１頬側側壁１２Ａ及び第１舌側側壁１３Ａと略平行であってもよい。
【００６０】
また、第１臼歯頬側歯軸平行線１２Ａ１、第１臼歯舌側歯軸平行線１３Ａ１、第２臼歯頬側歯軸平行線１２Ｂ１及び第２臼歯舌側歯軸平行線１３Ｂ１は、それぞれの側壁に形成された窪みによる線であったが、これに限定されない。それぞれの歯軸平行線は、それぞれの側壁に描画された線マーキングであってもよい。また、第１臼歯頬側歯軸平行線１２Ａ１と第１臼歯舌側歯軸平行線１３Ａ１は、両方設けられていてもよいし、いずれか一方だけ設けられていてもよい。第２臼歯頬側歯軸平行線１２Ｂ１と第２臼歯舌側歯軸平行線１３Ｂ１とについても、同様である。
【００６１】
また、一実施形態の支台歯形成ゲージ１は、近心側固定部２０Ａ及び遠心側固定部２０Ｂを備えていたが、これに限定されない。支台歯形成ゲージ１は、作業者が臼歯の研削量や研削方法を把握可能に使用できればよいため、必ずしも近心側固定部２０Ａ及び遠心側固定部２０Ｂは備えていなくてもよい。
【００６２】
また、一実施形態の支台歯形成ゲージ１は、歯科模型３０に載置されていたが、これに限定されない。支台歯形成ゲージ１は、人間の臼歯にも載置可能である。よって、支台歯形成ゲージ１は、人間の臼歯の研削にも使用可能である。本発明の支台歯形成ゲージ１が載置される臼歯は、歯科模型における臼歯及び人間の臼歯のいずれであってもよい。
【００６３】
支台歯形成ゲージ１が歯科模型３０に使用される場合、支台歯形成ゲージ１は、歯科模型の複数の臼歯に対応する形状に製造される。また、支台歯形成ゲージ１が人間の臼歯の研削に使用される場合、支台歯形成ゲージ１は、当該人間から個別に取得された臼歯のデータに基づいて製造される。なお、作業者は、人間の臼歯を目視することによって、人間の臼歯の歯軸を把握することは困難である。そのため、作業者は、支台歯形成ゲージ１を使用せずに人間の臼歯を研削した場合、研削方向を臼歯の歯軸に平行にすることも困難である。しかし、作業者は、当該人間から個別に取得された臼歯のデータに基づいて製造された支台歯形成ゲージ１を使用することによって、研削方向を臼歯の歯軸に平行にすることが可能になる。そのため、支台歯形成ゲージ１は、人間の歯を研削する場合においても有利な効果を奏する。
【００６４】
また、一実施形態の支台歯形成ゲージ１は、下顎の臼歯に使用されていたが、これに限定されない。上顎の臼歯に使用されてもよい。
【符号の説明】
【００６５】
１  支台歯形成用ゲージ
１０  密着部
１０Ａ      第１密着部
１０Ｂ      第２密着部
１０Ｃ      第３密着部
１０Ｄ      第４密着部
１１  密着面
１１Ａ      第１密着面
１１Ｂ      第２密着面
１１Ｃ      第３密着面
１１Ｄ      第４密着面
１２  頬側側面
１２Ａ      第１頬側側壁
１２Ａ１    第１臼歯頬側歯軸平行線（第１臼歯歯軸平行線）
１２Ｂ      第２頬側側壁
１２Ｂ１    第２臼歯頬側歯軸平行線（第１臼歯歯軸平行線）
１２Ｃ      第３頬側側壁
１２Ｄ      第４頬側側壁
１３  舌側側面
１３Ａ      第１舌側側壁
１３Ａ１    第１臼歯舌側歯軸平行線
１３Ｂ      第２舌側側壁
１３Ｂ１    第２臼歯舌側歯軸平行線
１３Ｃ      第３舌側側壁
１３Ｄ      第４舌側側壁
１４  上面
１５  頬側稜線
１５Ａ      第１頬側稜線
１５Ｂ      第２頬側稜線
１５Ｃ      第３頬側稜線
１５Ｄ      第４頬側稜線
１６  舌側稜線
１６Ａ      第１舌側稜線
１６Ｂ      第２舌側稜線
１６Ｃ      第３舌側稜線
１６Ｄ      第４舌側稜線
２０  固定部
２０Ａ      近心側固定部
２０Ｂ      遠心側固定部
３０  歯科模型
３１  歯列を形成する臼歯
３１Ａ      第１臼歯
３１Ａ１    第１咬合面（第１臼歯の咬合面）
３１Ａ２    第１頬側咬頭頂（第１臼歯の咬合面における咬頭頂）
３１Ａ３    第１舌側咬頭頂（第１臼歯の咬合面における咬頭頂）
３１Ｂ      第２臼歯
３１Ｂ１    第２咬合面（第２臼歯の咬合面）
３１Ｂ２    第２頬側咬頭頂（第２臼歯の咬合面における咬頭頂）
３１Ｂ３    第２舌側咬頭頂（第２臼歯の咬合面における咬頭頂）
３１Ｃ      第３臼歯
３１Ｃ１    第３咬合面
３１Ｃ２    第３頬側咬頭頂
３１Ｃ３    第３舌側咬頭頂
３１Ｄ      第４臼歯
３１Ｄ１    第４咬合面
３１Ｄ２    第４頬側咬頭頂
３１Ｄ３    第４舌側咬頭頂
３２  歯肉部
Ｘ    第１臼歯３１Ａの歯軸
Ｙ    第２臼歯３１Ｂの歯軸
【図１】
2016202291.tif 000003
【図２】
2016202291.tif 000004
【図３】
2016202291.tif 000005
【図４】
2016202291.tif 000006
【図５】
2016202291.tif 000007
【図６】
2016202291.tif 000008
【図７】
2016202291.tif 000009